(57)【要約】【課題】ユーザの意向を適切に反映してネットワークを選択できるようにすること。【解決手段】携帯端末は、所定のサービスを提供するオペレータのネットワークが掲載されているテーブルを保持する記憶部と、テーブルに掲載されている少なくとも1つのネットワークを、SIM又はUSIMに書き込むことで、ネットワークの選択肢を更新する更新部と、セルサーチにより検出されたネットワークの内、選択肢に該当するネットワークを選択する選択部と、選択部により選択されたネットワークのセルを選択し、位置登録を行う処理部とを有する。【選択図】図2
2012134766.tif 000002
【特許請求の範囲】
【請求項１】
所定のサービスを提供するオペレータのネットワークが掲載されているテーブルを保持する記憶部と、
前記テーブルに掲載されている少なくとも1つのネットワークを、SIM又はUSIMに書き込むことで、ネットワークの選択肢を更新する更新部と、
セルサーチにより検出されたネットワークの内、前記選択肢に該当するネットワークを選択する選択部と、
前記選択部により選択されたネットワークのセルを選択し、位置登録を行う処理部と
を有する携帯端末。
【請求項２】
前記選択肢に該当する旨の表示とともに該選択肢に該当するネットワークを表示する表示部をさらに有する、請求項1記載の携帯端末。
【請求項３】
当該携帯端末に使用されるSIM又はUSIMに応じて、異なるテーブルが使用される、請求項1又は2に記載の携帯端末。
【請求項４】
当該携帯端末に使用されるSIM又はUSIMが所定のSIM又はUSIMであった場合、前記テーブルの使用が禁止される、請求項1−3の何れか1項に記載の携帯端末。
【請求項５】
所定のサービスを提供するオペレータのネットワークが掲載されているテーブルを保持する携帯端末におけるネットワーク選択方法であって、
前記テーブルに掲載されている少なくとも1つのネットワークを、SIM又はUSIMに書き込むことで、ネットワークの選択肢を更新し、
セルサーチにより検出されたネットワークの内、前記選択肢に該当するネットワークを選択し、
選択されたネットワークのセルを選択し、位置登録を行うステップ
を有するネットワーク選択方法。
【請求項６】
ネットワークをマニュアルで選択し、選択したネットワークと同等のネットワークがあっても、当該選択したネットワークと同等のネットワークを無視して、当該同等のネットワークを自動で選択せず、選択したネットワークを選択し続けるマニュアルネットワーク選択手段を有する携帯端末。
【発明の詳細な説明】
【技術分野】
【０００１】
本発明は、携帯端末及びネットワーク選択方法に関連する。
【背景技術】
【０００２】
携帯端末が接続できるネットワークが複数存在する場合、通常、予め定められている優先順位にしたがって、接続先のネットワークが選択される。複数のネットワークの優先順位が同じ場合、受信レベルが規定値以上のネットワークの中から1つのネットワークがランダムに選択される。受信レベルが規定値以上のネットワークが存在しなかった場合、受信レベルが相対的に高いネットワークが選択される。従来のネットワークの選択方式については、非特許文献1に記載されている。
またマニュアルネットワーク選択時には、マニュアルにて選択したネットワーク以外に、選択したネットワークの同等（Equivalent）なPLMNがあった場合、選択したネットワークが圏外で、Equivalent PLMNが圏内の場合、自動でEquivalent PLMNが選択される。
【先行技術文献】
【非特許文献】
【０００３】
【非特許文献１】3GPP TS23．122  v6．5．0（2005−06）
【発明の概要】
【発明が解決しようとする課題】
【０００４】
通信サービスの多様化とともに、様々なオペレータが様々な料金体系で様々なサービスを提供している。ユーザは、国内及び国外において、定額サービスのような安い料金のオペレータを選択することを希望するかもしれない。あるいは、料金よりも高品質のサービスを提供するオペレータを選択することが望まれるかもしれない。しかしながら、従来のネットワークの選択方法の場合、そのようなユーザの意向を適切に反映してネットワークを選択することはできない。
【０００５】
本発明の課題は、ユーザの意向を適切に反映してネットワークを選択できるようにすることである。
【０００６】
またネットワークをマニュアルで選択しても、マニュアル選択したPLMNのEquivalent なPLMNが当該選択したネットワークに対してあった場合、選択したPLMNが圏外の場合、Equivalent PLMNに自動で移行する。定額サービスのような安いオペレータを固定で選択しても、Equivalent PLMNを自動で選択するという問題があった。
【課題を解決するための手段】
【０００７】
一実施例による携帯端末は、
所定のサービスを提供するオペレータのネットワークが掲載されているテーブルを保持する記憶部と、
前記テーブルに掲載されている少なくとも1つのネットワークを、SIM又はUSIMに書き込むことで、ネットワークの選択肢を更新する更新部と、
セルサーチにより検出されたネットワークの内、前記選択肢に該当するネットワークを選択する選択部と、
前記選択部により選択されたネットワークのセルを選択し、位置登録を行う処理部と
を有する携帯端末である。
【発明の効果】
【０００８】
一実施例によれば、ユーザの意向を適切に反映してネットワークを選択できるようになる。
【図面の簡単な説明】
【０００９】
【図１】携帯端末の動作例を概略的に示すフローチャート。
【図２】図1のS12及びS13における動作を詳細に示すフローチャート。
【図３】携帯端末に備わる処理部の内実施例に特に関連する部分の機能ブロック図。
【発明を実施するための形態】
【００１０】
以下に説明する実施例では、定額サービスを提供するオペレータのネットワーク等である優先ネットワークを掲載又は登録したテーブル（「定額オペレータテーブル」、より一般的には「優先ネットワークテーブル」）が携帯端末に保持される。すなわち、優先ネットワークテーブルは、所定のサービスを提供するオペレータのネットワークを掲載しているテーブルである。この優先ネットワークテーブルに登録されている1つ以上のPLMN（Public  Land  Mobile  Network）の内、位置登録時の移動管理制御局（MCC）が同じであるPLMN、又は登録されている全てのPLMNが、USIM（Universal  Subscriber  Identity  Module）に記憶されているUPLMN（User  controlled  PLMN）又はOPLMN（Operator  controlled  PLMN）に自動的に書き込まれる。以後、PLMNを選択するための既存の手順を実行することで、優先ネットワークテーブルに登録されているPLMNを選択することができるようになる。
【００１１】
優先ネットワークテーブルに登録されているPLMNをUPLMN又はOPLMNに書き込む手順は、位置登録毎に行われてもよいが、位置登録の更新の際に、MCCが前回と同じであった場合、その書き込む手順は省略されてもよい。書き込まれる内容が同じだからである。
【００１２】
PLMNをマニュアルで選択する際に、選択肢のPLMNが優先ネットワークテーブルに登録されていたものであった場合、その選択肢のPLMNは、携帯端末において定額である旨の指標とともに表示されてもよい。あるいは、その選択肢のPLMNの順位が上位になるように表示されてもよい。これにより、ユーザが意図するPLMNを簡易に選択できるようになる。
【００１３】
PLMNをマニュアルで選択する際に、Equivalent PLMNが当該選択したネットワークから通知されても、Equivalent PLMNを無視して、選択したPLMNが圏外の場合でも、選択したPLMNを選択し続け、Equivalent PLMNを含む選択PLMN以外を自動で選択しないこととしてもよい。
【００１４】
優先ネットワークテーブルは、不変に維持されてもよいし、適宜変更又は更新されてもよい。例えば、USIMに応じて優先ネットワークテーブルが変更されてもよい。あるいは、特定のオペレータのUSIMの場合には優先ネットワークテーブルの使用が禁止されてもよい。優先ネットワークテーブルは、適切な如何なる方法で携帯端末に通知されてもよい。一例として、国内から国外へローミングする際に、優先ネットワークテーブルのユニバーサルリソースロケータ（URL）が、例えばショートメッセージサービス（SMS）等を介してオペレータからユーザに通知されてもよい。あるいは、そのようなSMSに優先ネットワークテーブルが含まれていてもよい。さらに、優先ネットワークテーブルをユーザが編集してもよい。SMSにより優先ネットワークテーブル自体又はそのURLがユーザに通知される場合、一例として、移動通信制御局（MCC）が変わる毎にそのような通知が行われてもよい。
【００１５】
以下の観点から実施例を説明する。
【００１６】
1．概略的な動作説明
2．詳細な動作説明
3．携帯端末
【実施例１】
【００１７】
＜1．概略的な動作説明＞
図1は、携帯端末の動作例のフローチャートを示す。図示の動作例は、携帯端末が電源を投入した後、位置登録するまでの概要を示す。
【００１８】
ステップS11において、携帯端末の電源が投入される。あるいは、圏外に出た携帯端末が、所定のタイマが満了した際に、以後のステップが実行されてもよい。
【００１９】
ステップS12において、携帯端末はセルサーチ（バンドサーチ）を行う。携帯端末は、在圏セル及び周辺セルの受信レベルを測定し、利用可能な周波数及び移行先候補（接続先としての候補）のセルを検出する。本実施例における「受信レベル」は、瞬時値であるか平均値であるかを問わず、広く、無線状態の良否を表す量として定義される。受信レベルは、例えば受信電力、電界強度RSSI、希望波受信電力RSCP、パスロス、SNR、SIR、Ec／N０等により表現されてもよい。
【００２０】
ステップS13において、携帯端末は、ステップS12において選択された移行先候補（接続先としての候補）のセルの中から、予め保存しているテーブルを参照することで、利用可能なネットワーク（Public  Land  Mobile  Network：PLMN）を選択する。具体的な選択方法については後述する。一般に、選択は、セミオートマチックモード（semi  automatic  mode）、マニュアルモード（manual  mode）及び自動モード（automatic  mode）の3つの方法の何れかにより行われる。セミオートマチックモードは、半自動モード又は準自動モードと言及されてもよい。自動モードは、オートマチックモードと言及されてもよい。本実施例は、自動モード及びマニュアルモードに特に関連する。
【００２１】
ステップS14において、携帯端末は、選択したPLMNの報知情報を受信し、その報知情報から、利用可能なセルの候補を検出する。すなわち、ネットワークが選択された後に、選択されたネットワークにおけるセルが検出される。
【００２２】
ステップS15において、携帯端末は、検出したセルに基づいて、位置登録処理を行う。具体的には、検出したセルの識別子（セルID）を含む上り制御信号が基地局に送信され、交換機において、位置登録エリアの設定又は更新が行われる。
【００２３】
＜2．詳細な動作説明＞
図2は、図1のS12及びS13における動作を詳細に示すフローチャートである。
【００２４】
ステップS11において、携帯端末の電源が投入された後（又は圏外において所定の周期が訪れた場合に）、ステップS12において、携帯端末は、セルサーチ（バンドサーチ）を行う。
【００２５】
ステップS121において、在圏セルの報知情報を分析することで、PLMN（Public  Land  Mobile  Network）が変わったか否かが判定される。PLMNが変わっていなかった場合、フローはステップS125に進む。
【００２６】
ステップS125において、携帯端末は、在圏セル及び周辺セルの受信レベルを測定し、利用可能な周波数及び移行先候補（接続先としての候補）のセルを検出する。説明の便宜上、GSMのような第2世代の移動通信システム（2G）及びIMT−2000のような第3世代の移動通信システム（3G）についてセルサーチが行われるものとする。しかしながら、本発明は2G及び3Gだけでなく、他の移動通信システムにも適用可能である。例えば、LTE（Long  Term  Evolution）、LTE−Advanced、IMT−Advanced、WiFi、WiMAX等の方式の移動通信システムが、セルサーチの対象となってもよい。
【００２７】
一方、ステップS121において、PLMNが変わっていた場合、フローはステップS123に進む。
【００２８】
ステップS123において、携帯端末は、優先ネットワークテーブルに登録されているPLMNの中から、報知情報（MIB）により示される移動通信制御局（MCC）が同一であるPLMNを抽出する。携帯端末は、抽出したPLMNを、SIM又はUSIMに記憶されているUPLMN又はOPLMNに書き込む。あるいは、携帯端末は、優先ネットワークテーブルに登録されている全てのPLMNを、SIM又はUSIMに記憶されているUPLMN又はOPLMNに書き込む。
【００２９】
優先ネットワークテーブルは、定額サービスを提供するネットワーク等である優先ネットワークを登録又は掲載しているテーブルである。優先ネットワークテーブルは、ネットワークを介してダウンロードされてもよい。最新の優先ネットワークテーブルが携帯端末に保存されるように、ユーザがウェブページにアクセスしてもよいし、あるいはそのような更新情報が定期的に又は必要に応じてネットワークから送信されてもよい。古い優先ネットワークテーブルが保存されたままにならないように、優先ネットワークテーブルが一定期間経過後に消去されてもよい。UPLMN（User  controlled  PLMN）は、ユーザが選択的に登録した事業者のネットワークである。OPLMN（Operator  controlled  PLMN）は、事業者が選択的に登録した事業者のネットワークである。
【００３０】
ステップS123により、SIM又はUSIMに記憶されているUPLMN又はOPLMNが、優先ネットワークテーブル内のPLMNにより更新される。例えば、優先ネットワークテーブルに、NW1、NW2、NW3、NW4、NW5の5つのネットワークが掲載されており、NW1、NW2、NW7、NW8の4つのネットワークがUPLMN又はOPLMNに既に登録されていたとする。この場合、ステップS123により（優先ネットワークテーブルの全てが書き込まれる場合）、UPLMN又はOPLMNは、NW1、NW2、NW7、NW8に加えて、NW3、NW4、NW5を含むように書き換えられる。UPLMNを書き換えるか、OPLMNを書き換えるか、あるいは両方を書き換えるかは、ユーザにより選択される。速やかに優先ネットワークを選択できるようにする観点からは、UPLMNを書き換えることが好ましい（後述するように、OPLMNよりも先に使用されるからである。）。
【００３１】
ステップS123の後、フローはステップS125に進み、説明済みの処理が行われ、利用可能な周波数及び移行先候補（接続先としての候補）のセルが検出され、ステップS132に進む。
【００３２】
ステップS132において、携帯端末は、検出したセルのネットワークが、かつて在圏していた直近のネットワーク（RPLMN）に一致するか否かを判断する。検出したセルのネットワークが、かつて在圏していた直近のネットワークに一致していた場合、フローはステップS14に進み、そのネットワークのセルが選択され、位置登録が行われる（ステップS14、S15）。かつて在圏していた直近のネットワークが優先ネットワークテーブルの中に含まれていることもあり、その場合、ステップS132は一致しない。
【００３３】
ステップS132において、検出したセルのネットワークが、かつて在圏していた直近のネットワークに一致していなかった場合、フローはステップS133に進む。
【００３４】
ステップS133において、携帯端末は、検出したセルのネットワークが、HPLMN（Home  PLMN）に一致するか否かを判断する。HPLMNとは、ホームネットワークであり、携帯端末のユーザが契約している事業者のネットワークである。検出したセルのネットワークが、HPLMNに一致していた場合、フローはステップS14に進み、そのネットワークのセルが選択され、位置登録が行われる（ステップS14、S15）。HPLMNが優先ネットワークテーブルの中に含まれていることもあり、その場合、ステップS133は一致しない。
【００３５】
ステップS133において、検出したセルのネットワークが、HPLMNに一致していなかった場合、フローはステップS134に進む。
【００３６】
ステップS134において、携帯端末は、検出したセルのネットワークが、UPLMN（User  controlled  PLMN）に一致するか否かを判断する。UPLMNとは、一般的には、ユーザが選択的に登録した事業者のネットワークであるが、本実施例の場合、ステップS123において修正される場合がある点で従来のUPLMNと異なる。検出したセルのネットワークが、UPLMNに一致していた場合、フローはステップS14に進み、そのネットワークのセルが選択され、位置登録が行われる（ステップS14、S15）。UPLMNが優先ネットワークテーブルの中に含まれていることもあり、その場合、ステップS133は一致しない。
【００３７】
ステップS134において、検出したセルのネットワークが、UPLMNに一致していなかった場合、フローはステップS135に進む。
【００３８】
ステップS135において、携帯端末は、検出したセルのネットワークが、OPLMN（Operator  controlled  PLMN：OPLMN）に一致するか否かを判断する。OPLMNとは、一般的には、事業者が選択的に登録した事業者のネットワークであるが、本実施例の場合、ステップS123において修正される場合がある点で従来のOPLMNと異なる。検出したセルのネットワークが、OPLMNに一致していた場合、フローはステップS14に進み、そのネットワークのセルが選択され、位置登録が行われる（ステップS14、S15）。OPLMNが優先ネットワークテーブルの中に含まれていることもあり、その場合、ステップS133は一致しない。
【００３９】
ステップS135において、検出したセルのネットワークが、OPLMNに一致していなかった場合、フローはステップS136に進む。
【００４０】
ステップS136において、携帯端末は、検出したセルの1つ以上のネットワーク各々からの受信レベルを閾値と比較する。携帯端末は、閾値以上の受信レベルをもたらすネットワーク（Other  PLMN）があった場合、それを選択する。閾値以上の受信レベルをもたらすネットワークが複数個存在していた場合、相対的に良い受信レベルのネットワークが選択される。閾値として、適切な如何なる値が使用されてもよい。一例として、3Gシステムの場合の閾値が−95dBmであってもよい。2Gシステムの場合の閾値が−85dBmであってもよい。いずれにせよ、少なくとも相対的に受信レベルが良いネットワークが選択された場合、フローはステップS14に進み、そのネットワークのセルが選択され、位置登録が行われる（ステップS14、S15）。
【００４１】
ステップS136において、検出した何れのネットワークからの受信レベルも閾値以上でなかった場合、フローはステップS137に進む。
【００４２】
ステップS137において、携帯端末は、相対的に受信レベルが良いネットワークを選択する。そして、フローはステップS14に進み、選択されたネットワークのセルが選択され、位置登録が行われる（ステップS14、S15）。
【００４３】
上記の動作例は、自動モードの場合におけるものであるが、マニュアルモードが使用される場合、ステップS13におけるPLMNの選択が、マニュアルにより行われる。マニュアルモードにおいて、優先ネットワークテーブルに掲載されているPLMNが、選択可能であった場合、そのPLMNが優先ネットワークである指標又は表示とともに、そのPLMNがユーザインターフェース46により表示される。これにより、ユーザは、適切な優先ネットワークを簡易に選択できる。以後、ステップS14、S15における処理が行われる。またPLMNをマニュアルで選択する際に、Equivalent PLMNが当該選択したネットワークから通知されても、Equivalent PLMNを無視して、選択したPLMNが圏外の場合でも、選択したPLMNを選択し続け、Equivalent PLMNを含む選択したPLMN以外は自動で選択しないこととしてもよい。
【００４４】
＜3．携帯端末＞
図3は、携帯端末に備わる様々な機能要素の内、本実施例に特に関連する部分の機能ブロック図である。図3には、ネットワークモード指定部41、優先ネットワークテーブル42、PLMN選択部43、セル選択部44、位置登録部45及びユーザインターフェース46が示されている。PLMN選択部43はUPLMN／OPLMN変更部432を含む。携帯端末は、ユーザがネットワークを介して通信することを可能にする適切な如何なる装置でもよい。具体的には、携帯端末は、携帯電話、情報端末、スマートフォン、パーソナルディジタルアシスタント、携帯用パーソナルコンピュータその他のユーザ装置であるが、これら列挙されたものに限定されない。
【００４５】
ネットワークモード指定部41は、ネットワークを選択する際のモードが何であるかをPLMN選択部43に通知する。モードは、具体的には、セミオートマチックモード、マニュアルモード及び自動モードである。モードは、ユーザが直接指定してもよいし、あるいは、何れかのモードが携帯端末のデフォルトとして予め設定されていてもよい。
【００４６】
優先ネットワークテーブル42は、定額サービスを提供するネットワーク等のような所定のネットワークが掲載又は登録されているテーブルである。上述したように、優先ネットワークテーブルは、不変に維持されてもよいし、必要に応じて適宜変更又は更新されてもよい。たとえば、携帯端末に使用されるUSIMに応じて、優先ネットワークテーブルが異なっていてもよい。上述したように、優先ネットワークテーブルは、ネットワークを介してダウンロードされてもよい。最新の優先ネットワークテーブルが携帯端末に保存されるように、ユーザがウェブページにアクセスしてもよいし、あるいはそのような更新情報が定期的に又は必要に応じてネットワークから送信されてもよい。
【００４７】
PLMN選択部43は、ネットワークモード指定部41から指定されたモードにしたがって、優先ネットワークテーブル42を利用しながら、何れかのPLMNを選択する。具体的な選択方法は、図2及び図3を参照しながら説明されたものである。本実施例におけるPLMN選択部43は、UPLMN／OPLMN変更部432を含む。UPLMN／OPLMN変更部432は、優先ネットワークテーブルに掲載されている少なくとも1つのPLMNを、SIM又はUSIMに記憶されているUPLMN又はOPLMNに書き込むことで、ネットワークの選択肢を更新又は変更する。UPLMN及びOPLMNは、ネットワークの選択肢の一部を規定する。ネットワークの選択肢は、本実施例の場合、RPLMN、HPLMN、UPLMN、OPLMN及びその他のPLMNを含む。
【００４８】
セル選択部44は、PLMN選択部43により選択されたPLMNが何であるかの通知を受け、通知されたPLMNのセルを選択する。
【００４９】
位置登録部45は、選択されたセルにおいて、位置登録の処理を行う。例えば、携帯装置は、不図示の送信部から、選択されたセルのセル識別子とともに、位置登録を要求する上り制御信号を基地局に送信する。これにより、基地局に接続された交換機等が、位置登録の処理を行う。
【００５０】
ユーザインターフェース46は、視覚的及び／又は聴覚的にユーザと情報をやりとりするための入出力部である。ユーザインターフェースの具体例は、ディスプレイ、キーパッドを備えた制御パネル、陰極線管（CRT）、液晶ディスプレイ（LCD）、有機ELパネル、キーボード、タッチパッド、マウス、トラックボール、マイクロフォン及びスピーカ、又はそれらの適切な任意の組み合わせ等であるが、これらに限定されない。本実施例において、マニュアルモードが使用される場合、優先ネットワークテーブルに掲載されているPLMNが、選択可能であった場合、そのPLMNが優先ネットワークである指標又は表示とともに、そのPLMNがユーザインターフェース46により表示される。  PLMNをマニュアルで選択する際に、Equivalent PLMNが当該選択したネットワークから通知されても、Equivalent PLMNを無視して、選択したPLMNが圏外の場合でも、選択したPLMNを選択し続け、Equivalent PLMNを含む選択PLMN以外は自動で選択しないこととしてもよい。
【００５１】
以上、本発明の実施例によれば、電源投入時のネットワーク選択又は圏外から復帰する際のネットワーク選択において、定額オペレータ等の優先ネットワークを優先的に選択することができる。電源投入時又はマニュアル選択におけるネットワーク選択において、優先ネットワークをその旨の指標とともに表示することで、適切なネットワークを簡易かつ適確に選択できる。携帯端末に使用されるUSIMに応じて、優先ネットワークテーブルを変更することで、例えばオペレータに応じたネットワーク選択をすることができるようになる。
【符号の説明】
【００５２】
41  ネットワークモード指定部
42  優先ネットワークテーブル
43  PLMN選択部
432  UPLMN／OPLMN変更部
44  セル選択部
45  位置登録部
46  ユーザインターフェース
【図１】
2012134766.tif 000003
【図２】
2012134766.tif 000004
【図３】
2012134766.tif 000005